(57)【特許請求の範囲】
【請求項１】
規定の速度及び規定の速度に対して異なる倍数に設定されている複数の高速度にてディスクに信号を記録するとともにディスクの内周側に設けられている試し書き領域にテスト信号を記録再生することによって記録動作を行うためのレーザー出力を設定するように構成された光ディスク記録再生装置において、高速記録速度によるレーザー出力の設定動作時ディスクの回転速度を該高速記録速度にすることが出来ないとき、そのときの回転可能速度によるレーザー出力の設定動作を行い、その後該回転可能速度より遅い所定の低速記録速度によるレーザー出力の設定動作を行い、回転可能速度、該回転可能速度にて設定されたレーザー出力、前記低速記録速度及び該低速記録速度にて設定されたレーザー出力に基づいて高速記録速度に対応したレーザー出力を算出するようにしたことを特徴とする光ディスク記録再生装置。
【請求項２】
記録動作を行う位置が高速記録速度による回転可能位置であるとき、高速記録速度による記録動作を行うようにしたことを特徴とする請求項１に記載の光ディスク記録再生装置。
【請求項３】
記録動作を行う位置が高速記録速度による回転を行うことが出来ない位置であるとき、低速記録速度による記録動作を行うようにしたことを特徴とする請求項１に記載の光ディスク記録再生装置。
【請求項４】
記録開始後高速記録速度による回転を行うことが出来る状態になったとき、高速記録速度による記録動作を行うようにしたことを特徴とする請求項３に記載の光ディスク記録再生装置。
【発明の詳細な説明】
【０００１】
【発明の属する技術分野】
本発明は、光学式ピックアップより照射されるレーザーによってディスクに信号を記録するとともにレーザーによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザーによってディスクに信号を記録することが出来るように構成された光ディスク記録再生装置が商品化されている。
【０００３】
また、最近では、規定の記録線速度に対して、２倍、４倍、６倍、８倍、１０倍及び１２倍等の高速の線速度一定の状態にてディスクを回転制御した状態で信号を記録することが出来るように構成された光ディスク記録再生装置が開発されている。斯かる複数の線速度による記録動作を行うことが出来る光ディスク記録再生装置では、一般的にその装置が備えた最も速い線速度にて記録動作は行われる。
【０００４】
【発明が解決しようとする課題】
光ディスク記録再生装置では、ホストであるコンピューター装置側からの記録命令に従って信号の記録動作を行うように構成されているが、斯かる記録動作はディスクに記録する信号を一旦バッファ用ＲＡＭに記憶させ、該バッファ用ＲＡＭに記憶されている信号を読み出すことによってディスクへ信号の記録動作を行うように構成されている。
【０００５】
また、斯かる光ディスク記録再生装置では、ディスクの内周側に設けられている試し書き領域にレーザー出力を変化させながらテスト信号を記録するとともにその記録された信号の再生動作を行うという動作を行うことによって記録動作を行うために適したレーザー出力を設定する動作を行うように構成されている。
【０００６】
斯かるレーザー出力の設定動作は、記録動作を行うために設定されている線速度にて行い、その線速度によってディスクに信号を記録するように構成されている。線速度一定の状態にてディスクを回転駆動させる場合、ディスクの内周側の方が外周側より回転速度が速くなる。そして、レーザー出力の設定動作を行うために使用される試し書き領域はディスクの内周側に設けられているため、最も高速回転することになる。
【０００７】
ディスクを回転駆動するスピンドルモーターは、記録速度の高速化に伴って高速回転が要求されるが、小型化、低消費電力化及び製造コストを下げるためにスピンドルモーターとしての限界性能に近い状態にて使用されている。斯かるスピンドルモーターを使用した光ディスク記録再生装置では、供給電源電圧が低下した場合にディスクの回転速度を試し書き領域において高速記録動作を行うための線速度まで上昇させることが出来ないことがあり、この場合には高速記録速度に適したレーザー出力を設定することが出来ないので、高速による記録動作を行うことが出来ないという問題がある。
【０００８】
本発明は、斯かる問題を解決することが出来る光ディスク記録再生装置を提供しようとするものである。
【０００９】
【課題を解決するための手段】
本発明は、高速記録速度によるレーザー出力の設定動作時ディスクの回転速度を該高速記録速度にすることが出来ないとき、そのときの回転可能速度によるレーザー出力の設定動作を行い、その後該回転可能速度より遅い所定の低速記録速度によるレーザー出力の設定動作を行い、回転可能速度、該回転可能速度にて設定されたレーザー出力、前記低速記録速度及び該低速記録速度にて設定されたレーザー出力に基づいて高速記録速度に対応したレーザー出力を算出するように構成されている。
【００１０】
【実施例】
図１は本発明の動作を説明するためのフローチャート、図２は本発明に係る光ディスク記録再生装置の一実施例を示すブロック回路図である。図２において、１はスピンドルモーターＭによって回転駆動されるターンテーブル（図示せず）に載置されるディスクであり、該ターンテーブルの回転により回転駆動されるように構成されている。また。前記ディスク１には、位置情報データがウォブルと呼ばれる溝によって記録されており、この溝より得られるウォブル信号に基づいて信号の記録再生動作が行われるように構成されている。２はディスク１に光ビームを照射させるレーザーダイオード及び該レーザーダイオードより照射される光をモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１１】
３は前記光学式ピックアップ２に組み込まれている光検出器から得られるＲＦ信号を増幅するとともに波形成形するＲＦ信号増幅回路、４は前記ＲＦ信号増幅回路３を介して得られる信号に基づいて前記光学式ピックアップ２の光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１２】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホストとして設けられているコンピューター装置７に出力する作用を成すものである。
【００１３】
８は前記デジタル信号処理回路５により復調された信号が入力されるとともに前記コンピューター装置７から出力される命令信号に応じて種々な制御動作を行うシステム制御回路である。９はテスト信号や情報信号等の記録信号が入力されるとともにその信号に対応させてレーザー駆動回路（図示せず）によるレーザーの照射動作を制御することによってデータ信号等を前記ディスク１に記録させる信号記録用回路である。
【００１４】
１０はディスク１に記録される信号が一旦記憶されるバッファ用ＲＡＭであり、前記コンピューター装置７より出力される信号が書き込まれるとともにシステム制御回路８の制御動作によって信号の記憶動作及び読み出し動作が制御されるように構成されている。そして、前記バッファ用ＲＡＭ１０へ記憶された信号は、ディスク１に記録するべく読み出された後も記憶保持された状態にあり、その後コンピューター装置７より出力される新しい信号がその位置に記憶されることによって順次上書き消去されるように構成されている。
【００１５】
１１は前記システム制御回路８によって動作が制御されるスピンドルモーター駆動回路であり、ディスク１を回転駆動させるスピンドルモーターＭを回転駆動制御する作用を有している。そして、斯かる回転駆動制御動作は、規定の線速度は勿論のこと規定速度の２倍、４倍、６倍、８倍、１０倍及び１２倍等の線速度一定の状態にて回転させることが出来るように構成されている。
【００１６】
斯かる構成において、ディスク１への信号の記録動作時、バッファ用ＲＡＭ１０にはコンピューター装置７から出力される信号が記憶され、その記憶されている信号の読み出し動作を制御することによってディスク１への信号の記録動作を制御するように構成されている。そして、ディスク１への信号の記録動作が中断された後、再度記録動作を再開させる場合には、前記バッファ用ＲＡＭ１０に記憶されている信号とディスク１に中断前に記録されている信号との比較動作を行い、中断前に記録されていた信号に連続して信号が記録されるように、即ちシームレスと呼ばれる方式にて信号が記録されるように構成されている。
【００１７】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザーダイオードには、信号の読み出し動作を行うためのレーザー出力が得られる駆動電流がレーザー駆動回路より供給されるように設定されている。
【００１８】
斯かる再生動作のための制御動作が開始されると、スピンドルモーター駆動回路１１によるスピンドルモーターＭの回転制御動作が行われるが、斯かるスピンドルモーターＭの回転制御動作は、ウォブル信号をデコードして得られる同期信号と基準信号生成回路（図示せず）より出力される基準信号とを比較することによりディスク１を線速度一定にて回転駆動するように行われる。斯かる制御動作は、後述する信号の記録動作時にも同様に行われる。
【００１９】
スピンドルモーターＭの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されるが、再生動作に先だってディスク１の最初のセッションを構成するリードイン領域に記録されているＴＯＣデータの読み出し動作が行われる。
【００２０】
ディスク１に作成されている最初のセッションの信号記録領域に記録されている信号の読み出し再生動作は、リードイン領域に記録されているＴＯＣデータと呼ばれる記録情報データに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２１】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２２】
以上に説明したように本実施例における再生動作は行われるが、次にディスク１への信号の記録動作について説明する。
【００２３】
ディスク１に信号を記録する動作は、まずディスク１に設けられている試し書き領域にテスト信号を記録及び再生することにより記録動作に最適なレーザー出力の設定動作が行われるが、斯かるレーザー出力の設定については、後述する。斯かるレーザー出力の設定動作が行われると、ディスク１のバッファと呼ばれる領域に記録されている情報データ、即ち信号記録領域に記録されている信号の位置情報等を読み出す動作が行われる。
【００２４】
斯かる処理動作が終了すると、光学式ピックアップ２をディスク１上の記録動作を開始する位置まで移動させるとともにバッファ用ＲＡＭ１０への記録信号の書き込み動作が行われる。前記バッファ用ＲＡＭ１０への信号の書き込み動作が行われと、該バッファ用ＲＡＭ１０に記憶される信号の記憶量が次第に上昇することになる。その記憶量が所定量を越えると、前記バッファ用ＲＡＭ１０に記憶されている信号を読み出し、その読み出された信号を前記信号記録用回路９に入力せしめる。その結果、前記信号記録用回路９によるレーザー駆動回路の制御動作が行われ、ディスク１に信号が記録されることになる。
【００２５】
斯かる動作によってディスク１への信号の記録動作は行われるが、前記バッファ用ＲＡＭ１０への信号の書き込み動作は、該バッファ用ＲＡＭ１０からの信号の読み出し動作に応じて行われるように構成されている。また、記録動作が正常に行われている状態では、ディスク１への信号の記録動作が行われる毎にその位置を示すアドレス、即ち最終アドレスをシステム制御回路８に設けられているメモリー回路に記憶する動作が行われている。
【００２６】
そして、ディスク１への信号の記録動作を中断させた場合には、前記バッファ用ＲＡＭ１０からの信号の読み出し動作が中断されるが、この場合には該バッファ用ＲＡＭ１０への信号の書き込み動作も中断させるように構成されている。斯かる状態よりディスク１への信号の記録動作を開始させる操作を行うと、光学式ピックアップ２を記録動作を開始させる位置、即ち記録動作を中断した位置より後退させた位置に変位させた後、その位置より再生動作を行う。記録を中断させた位置は、正常記録動作が行われる毎にメモリー回路に記憶されている最終アドレスより容易に認知することが出来るとともに光学式ピックアップ２を所望の位置に移動させることが出来る。
【００２７】
斯かる再生動作によって再生される信号は、記録動作を中断させる直前に記録されていた信号であり、斯かる信号と前記バッファ用ＲＡＭ１０に記憶されている信号との比較動作を行う。斯かる比較動作によって、両者が同一信号であると判定された場合には、前記バッファ用ＲＡＭ１０に記憶されているとともに前述した比較動作の対象となった信号に続けて記憶されている信号の読み出し動作が行われるとともにその信号が信号記録用回路９に入力されてディスク１への信号の記録動作が開始される。前述した動作によって信号のディスク１への記録中断動作及び記録再開動作を行うことが出来、斯かる動作を行うことによってディスク１には、記録動作を中断させたにも拘わらず信号を連続して記録する動作、所謂シームレス記録動作を行うことが出来る。
【００２８】
以上に説明したように本実施例における記録動作は行われるが、信号の記録動作が終了するとディスクに記録された信号の記録位置等を示す記録情報データのディスク１のリードインエリアへの記録動作が行われる。そして、斯かるリードインエリアへの記録情報データの記録動作は、ディスク１へ信号を記録した速度にて行われる。
【００２９】
以上に説明したように本実施例における信号の記録動作は行われるが、次にレーザー出力の設定について説明する。コンピューター装置７より出力される記録命令信号に基づいてレーザー出力の設定動作は行われるが、斯かるレーザー出力の設定動作はテスト信号をディスク１の内周側に設けられている試し書き領域にレーザー出力を変化させながら行い、その記録された信号を再生し、最適な信号として再生された信号に対応したレーサー出力を最適なレーザー出力として設定するようにされている。そして、斯かるレーザー出力の設定方法については、周知の技術を使用すれば良く、その詳細については省略する。
【００３０】
レーザーの出力設定動作は、前述したように行われるが、次に本発明の要旨を図１に示したフローチャートに基づいて説明する。レーザー出力の設定動作は、コンピューター装置７より出力される記録命令信号に基づいて開始されるが、その記録速度は、光ディスク記録再生装置が備えている最高速度である高速記録速度Ｓに適したレーザー出力を設定するために行われる。
【００３１】
斯かるレーザー出力の設定動作は、光学式ピックアップ２をディスク１の内周側に設けられている試し書き領域に移動させるとともにスピンドルモーターＭの回転速度を試し書き領域において高速記録速度Ｓにするための制御動作が行われる（ステップＡ）。斯かる制御動作が行われると、ディスク１の回転速度が高速記録速度Ｓまで上昇したか否かの判定動作が行われる（ステップＢ）。
【００３２】
ステップＢにおいて、高速記録速度Ｓにてディスク１が回転駆動されていると判定された場合には、その回転速度の状態においてテスト信号の記録動作をレーザー出力を変化させながら行うとともにその記録された信号の再生動作を行うことによってレーザー出力Ｐの設定をする（ステップＣ）。このようにして設定されたレーザー出力Ｐは、高速記録速度Ｓに適したレーザー出力であり、このレーザー出力Ｐによって高速記録速度Ｓにて回転駆動されるディスク１への記録動作が行われる（ステップＤ）。
【００３３】
このように試し書き領域における回転速度を高速記録速度Ｓまで上昇させることが出来る場合の記録動作は行われるが、次に高速記録速度Ｓまで上昇させることが出来ない場合の動作について説明する。
【００３４】
ステップＢにおいて、高速記録速度Ｓにてディスク１が回転駆動されていないと判定された場合には、そのときの回転速度、即ち回転可能速度Ｓ１の状態においてテスト信号の記録動作をレーザー出力を変化させながら行うとともにその記録された信号の再生動作を行うことによってレーザー出力Ｐ１の設定動作をする（ステップＥ）。このようにして回転可能速度Ｓ１におけるレーザー出力Ｐ１が設定されると、その回転可能速度Ｓ１及び設定されたレーザー出力Ｐ１をシステム制御回路８内に設けられているメモリー回路（図示せず）等に記憶する（ステップＦ）。
【００３５】
ステップＦの処理動作が終了すると、ディスク１の回転速度を回転可能速度Ｓ１より遅い所定の速度、例えば高速記録速度Ｓより一段遅い所定の低速記録速度ＳＳに変更した状態でレーザー出力ＰＰの設定動作を行う（ステップＧ）。斯かる設定動作が終了すると、記録速度とレーザー出力との間には、実験で得られた特定の関係があるため、回転可能速度Ｓ１、レーザー出力Ｐ１、低速記録速度ＳＳ及びレーザー出力ＰＰに基づいて高速記録速度Ｓに適したレーザー出力ＰＫを算出する（ステップＨ）。
【００３６】
このようにして、低速記録速度ＳＳに適したレーザー出力ＰＰ及び高速記録速度Ｓに適したレーザー出力ＰＫは、設定されるが、斯かるデータはシステム制御回路８内に組み込まれているメモリー回路に記憶されるように構成されている。
【００３７】
ステップＨの処理動作が終了すると、信号の記録動作が開始されるが、その記録開始に先だって記録する位置が高速記録速度Ｓによる回転駆動動作を行うことが出来るか否かの判定動作が行われる（ステップＩ）。即ち、試し書き領域では、ディスク１の回転速度を高速記録速度Ｓに上昇させることが出来なくても信号を記録する位置は試し書き領域より外周側にあるため、ディスク１の回転速度が遅くなるからである。そして、記録開始位置における回転速度は、ディスク１に記録されている位置情報データに基づくディスク１上の位置より算出することが出来るので、前述した回転可能速度Ｓ１との比較動作によって高速記録速度Ｓによる回転駆動動作を行うことが出来るか否かの判定を行うことが出来る。
【００３８】
ステップＩにおいて、高速記録速度Ｓにて回転可能と判定された場合には、光学式ピックアップ２を記録位置まで移動させるとともに高速記録速度Ｓにて信号の記録動作をレーザー出力ＰＫにて行う（ステップＪ）。ステップＩにおいて、高速記録速度Ｓにて回転を行うことが出来ないと判定された場合には、光学式ピックアップ２を記録位置まで移動させるとともに低速記録速度ＳＳにて信号の記録動作をレーザー出力ＰＰにて行う（ステップＫ）。
【００３９】
ステップＫの処理動作によって低速記録速度ＳＳによる記録動作が開始されるが、記録位置が外周側に移動するに従ってディスクの回転速度は低下することになる。斯かる記録動作を行っている状態において、記録位置は高速記録速度Ｓによる回転可能な位置であるか否かの判定動作が行われる（ステップＬ）。ステップＬにて回転可能であると判定された場合には、記録速度を高速記録速度Ｓに変更し、レーザー出力ＰＫによって信号の記録動作を行う（ステップＭ）。
【００４０】
このように記録速度を低速記録速度ＳＳより高速記録速度Ｓに変更する動作を行うことによって記録時間を可能な限り短くすることが出来る。
【００４１】
尚、本実施例では、低速記録速度ＳＳを高速記録速度Ｓより一段遅い速度としたが、その他光ディスク記録再生装置が備えている記録速度にすることも可能である。
【００４２】
【発明の効果】
本発明は、規定の速度及び規定の速度に対して異なる倍数に設定されている複数の高速度にてディスクに信号を記録するとともにディスクの内周側に設けられている試し書き領域にテスト信号を記録再生することによって記録動作を行うためのレーザー出力を設定するように構成された光ディスク記録再生装置において、高速記録速度によるレーザー出力の設定動作時ディスクの回転速度を該高速記録速度にすることが出来ないとき、そのときの回転可能速度によるレーザー出力の設定動作を行い、その後該回転可能速度より遅い所定の低速記録速度によるレーザー出力の設定動作を行い、回転可能速度、該回転可能速度にて設定されたレーザー出力、前記低速記録速度及び該低速記録速度にて設定されたレーザー出力に基づいて高速記録速度に対応したレーザー出力を算出するようにしたので、試し書き領域にてディスクの回転速度を高速記録速度に出来ない場合においても高速記録速度に適したレーザー出力を設定することが出来る。
【００４３】
また、本発明は、記録動作を行う位置が高速記録速度による回転可能位置であるとき、高速記録速度による記録動作を行うようにしたので、記録動作を速やかに行うことが出来る。
【００４４】
そして、本発明は、記録動作を行う位置が高速記録速度による回転を行うことが出来ない位置であるとき、低速記録速度による記録動作を行うようにしたので、記録動作に支障を来すことはない。
【００４５】
また、本発明は、記録開始後高速記録速度による回転を行うことが出来る状態になったとき、高速記録速度による記録動作を行うようにしたので、記録動作を可能な限り短くすることが出来る。
【図面の簡単な説明】
【図１】本発明の動作を説明するためのフローチャートである
【図２】本発明に係る光ディスク記録再生装置の一実施例を示すブロック回路図である。
【符号の説明】
１        ディスク
２        光学式ピックアップ
４        ピックアップ制御回路
５        デジタル信号処理回路
７        コンピューター装置
８        システム制御回路
１０        バッファ用ＲＡＭ
１１        スピンドルモーター駆動回路
【図１】
0003723446.tif 000002
【図２】
0003723446.tif 000003